【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】 移動している被検出物体のある位置における存在の有無を検出する検出スイッチであって、
前記被検出物体の有無により得られる検出量を出力する検出手段と、
しきい値を設定するしきい値設定手段と、
前記検出手段から出力される検出量を前記しきい値設定手段により設定されたしきい値と比較して比較結果を出力する比較手段と、
前記比較手段から出力される比較結果に基づき、被検出物体の有無を検出信号として出力する検出信号出力手段と、
所定の保持期間ごとに前記検出手段から出力される検出量の最大値または最小値を保持し、各保持期間ごとの最大値または最小値を出力する保持手段と、
前記保持手段から出力される最大値または最小値を表示する表示手段とを備えたことを特徴とする検出スイッチ。
【請求項２】 前記保持期間を一定時間に設定する保持期間設定手段をさらに備えたことを特徴とする請求項１記載の検出スイッチ。
【請求項３】 前記検出信号出力手段から出力される検出信号における所定の結果の回数に基づいて前記保持期間を設定する保持期間設定手段をさらに備えたことを特徴とする請求項１記載の検出スイッチ。
【請求項４】 前記保持期間設定手段は、外部からの操作により前記保持期間を任意に設定することを特徴とする請求項２または３記載の検出スイッチ。
【請求項５】 前記表示手段は、前記しきい値設定手段により設定されたしきい値、または前記しきい値と前記保持手段から出力される前記最大値または最小値との比もしくは差を表示することを特徴とする請求項１〜４のいずれかに記載の検出スイッチ。
【請求項６】前記表示手段は、前記保持手段から出力される検出量の最大値または最小値を表示する表示モードであることを示す表示と、前記検出量の最大値または最小値とを時分割に表示することを特徴とする請求項１〜５のいずれかに記載の検出スイッチ。
【請求項７】前記検出スイッチは、さらに、
前記検出手段から出力される前記検出量が前記しきい値を上回った際に前記検出信号出力手段により検出信号を出力する第１の設定モードと、前記検出手段から出力される前記検出量が前記しきい値を下回った際に前記検出信号出力手段により検出信号を出力する第２の設定モードとを選択可能なモード設定手段を有し、
前記保持手段は、前記モード選択手段により前記第１の設定モードが選択された場合には前記検出量の最大値を保持し、前記第２の設定モードが選択された場合には前記検出量の最小値を保持することを特徴とする請求項１〜６のいずれかに記載の検出スイッチ。
【請求項８】 移動している被検出物体のある位置における存在の有無を検出する検出スイッチであって、
前記被検出物体の有無により得られる検出量を出力する検出手段と、
しきい値を設定するしきい値設定手段と、
前記検出手段から出力される検出量を前記しきい値設定手段により設定されたしきい値と比較して比較結果を出力する比較手段と、
前記比較手段から出力される比較結果に基づき、被検出物体の有無を検出信号として出力する検出信号出力手段と、
前記検出信号出力手段から出力される検出信号における所定の結果から次の所定の結果までを一つの保持期間として、各保持期間ごとに前記検出手段から出力される検出量の最大値または最小値を保持出力する保持出力手段と、
前記保持期間の所定数内に前記保持出力手段から出力される最大値のうちの最小値または前記保持期間の所定数内に前記保持出力手段から出力される最小値のうちの最大値を出力する保持値出力手段と、
前記保持値出力手段から出力される最小値または最大値を表示する表示手段とを備えたことを特徴とする検出スイッチ。
【請求項９】 前記保持期間の前記所定数を一定数に設定する保持期間設定手段をさらに備えたことを特徴とする請求項８記載の検出スイッチ。
【請求項１０】 前記保持期間設定手段は、外部からの操作により前記保持期間の前記所定数を任意に設定することを特徴とする請求項９記載の検出スイッチ。
【請求項１１】 前記表示手段は、前記しきい値設定手段により設定されたしきい値、または前記しきい値と前記保持値出力手段から出力される前記最小値または最大値との比もしくは差を表示することを特徴とする請求項８〜１０のいずれかに記載の検出スイッチ。
【請求項１２】前記表示手段は、前記保持値手段から出力される検出量の最大値または最小値を表示する表示モードであることを示す表示と、前記検出量の最大値または最小値とを時分割に表示することを特徴とする請求項８〜１１のいずれかに記載の検出スイッチ。
【請求項１３】前記検出スイッチは、さらに、
前記検出手段から出力される前記検出量が前記しきい値を上回った際に前記検出信号出力手段により検出信号を出力する第１の設定モードと、前記検出手段から出力される前記検出量が前記しきい値を下回った際に前記検出信号出力手段により検出信号を出力する第２の設定モードとを選択可能なモード設定手段を有し、
前記保持値出力手段は、前記モード選択手段により前記第１の設定モードが選択された場合には前記検出量の最大値のうち最小値を出力し、前記第２の設定モードが選択された場合には前記検出量の最小値のうち最大値を出力することを特徴とする請求項８〜１２のいずれかに記載の検出スイッチ。
【請求項１４】 移動している被検出物体の検出位置における存在の有無を検出する光電スイッチであって、
前記検出位置に光を投射する投光手段と、
前記検出位置からの透過光または反射光を受光する受光手段と、
前記受光手段の受光量を出力する検出手段と、
しきい値を設定するしきい値設定手段と、
前記検出手段から出力される受光量を前記しきい値設定手段により設定されたしきい値と比較して比較結果を出力する比較手段と、
前記比較手段から出力される比較結果に基づき、被検出物体の有無を検出信号として出力する検出信号出力手段と、
所定の保持期間ごとに前記検出手段から出力される受光量の最大値または最小値を保持し、各保持期間ごとの最大値または最小値を出力する保持手段と、前記保持手段から出力される最大値または最小値を表示する表示手段とを備えたことを特徴とする光電スイッチ。
【請求項１５】 移動している被検出物体の検出位置における存在の有無を検出する光電スイッチであって、
前記検出位置に光を投射する投光手段と、
前記検出位置からの透過光または反射光を受光する受光手段と、
前記受光手段の受光量を出力する検出手段と、
しきい値を設定するしきい値設定手段と、
前記検出手段から出力される受光量を前記しきい値設定手段により設定されたしきい値と比較して比較結果を出力する比較手段と、
前記比較手段から出力される比較結果に基づき、被検出物体の有無を検出信号として出力する検出信号出力手段と、
前記検出信号出力手段から出力される検出信号における所定の結果から次の所定の結果までを一つの保持期間として、各保持期間ごとに前記検出手段から出力される受光量の最大値または最小値を保持出力する保持出力手段と、
前記保持期間の所定数内に前記保持出力手段から出力される最大値のうちの最小値または前記保持期間の所定数内に前記保持出力手段から出力される最小値のうちの最大値を出力する保持値出力手段と、
前記保持値出力手段から出力される最小値または最大値を表示する表示手段とを備えたことを特徴とする光電スイッチ。